(57)【要約】      （修正有）【課題】メタポリックシンドローム（内臓脂肪）が動脈硬化の最大の原因であり、その内臓脂肪の増加で動脈硬化が進んだ原因で起こる脳梗塞、心筋梗塞、心臓病、糖尿病、高脂血症等の発症を防止するように、薬、入院等以外に自己管理で栄養過多をなくし、運動することで、腹部周囲を容易に日常チエックしできるメジャー付き下着サポータを提供する。【解決手段】  肥満の方１が下着２を身に着けるときに腹部３が大きく妊婦のように前方に飛び出ており、下着が下方に落ちるために下着サポート４を着用して落ちないようにしている。この下着サポート４にメジャー入り織ゴム５を設けて結合し、下着サポートを装着時に自分で腹部のへそ高さの腹部周囲６をメジャーで計測し、メタポリックシンドローム（内臓脂肪）の目安以下に容易に自己管理できるメジャー付き下着サポータ。【選択図】図１
0003140892.tif 000002
【実用新案登録請求の範囲】
【請求項１】
メタポリックシンドローム（内臓脂肪）の予防のために、肥満の方（１）が下着（２）を装着し、その下着が腹部（３）から下方に下がらないように下着サポータ（４）を装着し、その下着サポータ（４）に平らな織ゴムを円形状にし中空部を設けた内部にメジャーを通し、一方を固定し、他方をフリーにしたメジャー入り織ゴム（５）を後部で結合し、一体にしたことを特徴とするメタポリックシンドローム（内臓脂肪）を常時チエックできるメジャー付き下着サポータ。
【請求項２】
下着サポータにメジャー付き織ゴムを設け腹部を計測し、メタポリックシンドローム（内臓脂肪）を予防する請求項１記載のメタポリックシンドローム（内臓脂肪）チエックできる下着サポータ。
【考案の詳細な説明】
【技術分野】
【０００１】  本考案は、動脈硬化の原因である内臓脂肪を増やさないように、日常チエックできるメジャー付き下着サポータに関する。
【背景技術】
【０００２】  成人病である脳梗塞、心筋梗塞、心臓病、糖尿病、高脂血症の最大の原因であるメタポリックシンドローム（内臓脂肪）の目安の基準である、腹部下周りが男性では８５ｃｍ以上、女性では９０ｃｍ以上といわれており、近年、食生活の欧米化と食物が有り余りなんでも食べられる時代、又は自動車、交通機関の利用による運動不足等で運動・歩行する機会が極端に少なく急速に肥満・患者数が増加し、そのために中・高齢者がメタポリックシンドローム（内臓脂肪）が原因で脳梗塞・心筋梗塞等を発症し、死亡者が増加しているのが現状であり問題になっており、予防するには、運動と肉類、脂肪等取り過ぎないよう食事制限するのが良い予防方法である。又、体脂肪・内臓脂肪等を計測する機器に関する特許が公開されている。
【参考文献１】
特開２００７−１５９６９９号公報
【参考文献２】
特開２００２−２３８８７０号公報
【参考文献３】
特開２００１−３１４３８９号公報
【考案の開示】
【考案が解決しようとする課題】
【０００３】  本考案は、成人病の代表であり動脈硬化の原因をおこすメタポリックシンドローム（内臓脂肪）を腹部内部に蓄積させず防止するためのものであり、下着が下方に下がらないようにする下着サポータ−にメジャー入り織ゴムを取り付け、下着サポータを着用時に、常にメジャーで腹部を計測し、メタポリックシンドローム（内臓脂肪）を予防のため、腹部の寸法が男性では８５ｃｍ以下、女性では９０ｃｍ以下に維持するようメジャーで計測し、自己管理するメタポリックシンドローム（内臓脂肪）をチエックできるメジャー付き下着サポータを提供する。
【課題を解決するための手段】
【０００４】  本考案は、肥満の方が下着を身に着けるときに腹部が大きく妊婦のように前方に飛び出ており、下着が下方に落ちるために下着サポータを着用して落ちないようにしている。この下着サポータにメジャー入り織ゴムを設け、織ゴムは中空状の円形にし中空部内にメジャーを通し一方を固定し他方を自由に設ける、下着サポートを装着時に常に自分で腹部を計測し、メタポリックシンドローム（内臓脂肪）の目安以下に容易に自己管理できる事を特徴とするメジャー付き下着サポータ。
【考案の効果】
【０００５】  本考案により、メジャー付き下着サポータを装着することにより、メタポリックシンドローム（内臓脂肪）が成人病の原因である肥満を自己管理して、常にメジャーで計測する習慣をつけ、目安である男性なら８５ｃｍ以下、女性なら９０ｃｍ以下になるように努力し自己で予防できる効果が期待できる。
【考案を実施するための形態】
【０００６】  本考案は、肥満の方（１）が下着（２）を身に着けるときに腹部（３）が大きく妊婦のように前方に飛び出ており、下着（２）が下方に落ちるために下着サポータ（４）を着用して落ちないようにしている。この下着サポータ（４）にメジャー入り織ゴム（５）を後部で結合し一体にする、メジャー入り織ゴム（５）は織ゴムを中空状の円形にし、その中空部にメジャーを通し、一方を固定し、他方をフリーにする、下着サポート（４）を装着時に自分で腹部のへそ高さの腹部周囲（６）をメジャー（７）で計測し、メタポリックシンドローム（内臓脂肪）の目安以下に容易に自己管理できるメジャー付き下着サポータ。
【図面の簡単な説明】
【０００７】
【図１】  本考案の身体にメジャー付き下着サポータを装着した右側面図
【図２】  本考案のメジャー付き下着サポータの平面図
【図３】  本考案の左側面図
【図４】  本考案の左側面図のメジャー部拡大図
【符号の説明】
【０００８】  １  肥満の方
２  下着
３  腹部
４  下着サポータ
５  メジャー入り織ゴム
６  へそ高さの腹部周囲
７  メジャー
【図１】
0003140892.tif 000003
【図２】
0003140892.tif 000004
【図３】
0003140892.tif 000005
【図４】
0003140892.tif 000006
【手続補正書】
【提出日】平成19年12月25日(2007.12.25)
【手続補正１】
【補正対象書類名】実用新案登録請求の範囲
【補正対象項目名】全文
【補正方法】変更
【補正の内容】
【実用新案登録請求の範囲】
【請求項１】
内臓脂肪型肥満であるメタポリックシンドロームの予防のため常時腹部を計測する際に、下着が下がらないように下着サポータを設け、当該下着サポータ後部中心部にメジャーを入れた中空状の織ゴムの輪を設け、当該メジャーの一方を固定し、他方をフリーにしたことを特徴としたメタボリックシンドロームをチエックできるメジャー付き下着サポータ。
【請求項２】
下着サポータの後部にメジャー付き織ゴムを設け、当該メジャー付き織ゴムの輪の内部に設けたメジャーを引出し腹部を計測するメタポリックシンドロームを予防する請求項１記載のメタポリックシンドロームチエックできるメジャー付き下着サポータ。
【手続補正２】
【補正対象書類名】明細書
【補正対象項目名】全文
【補正方法】変更
【補正の内容】
【考案の詳細な説明】
【技術分野】
【０００１】  本考案は、動脈硬化の原因である内臓脂肪を増やさないように、日常チエックできるメジャー付き下着サポータに関する。
【背景技術】
【０００２】  成人病である脳梗塞、心筋梗塞、心臓病、糖尿病、高脂血症の最大の原因の内臓脂肪型肥満であるメタポリックシンドロームの目安の基準である、腹部下周りが男性では８５ｃｍ以上、女性では９０ｃｍ以上といわれており、近年、食生活の欧米化と食物が有り余りなんでも食べられる時代、又は自動車、交通機関の利用による運動不足等で運動・歩行する機会が極端に少なく急速に肥満・患者数が増加し、そのために中・高齢者が内蔵肥満型肥満であるメタポリックシンドロームが原因で脳梗塞・心筋梗塞等を発症し、死亡者が増加しているのが現状であり問題になっており、予防するには、運動と肉類、脂肪等取り過ぎないよう食事制限するのが良い予防方法である。又、体脂肪・内臓脂肪等を計測する機器に関する特許が公開されている。
【参考文献１】
特開２００７−１５９６９９号公報
【参考文献２】
特開２００２−２３８８７０号公報
【参考文献３】
特開２００１−３１４３８９号公報
【考案の開示】
【考案が解決しようとする課題】
【０００３】  本考案は、成人病の代表であり動脈硬化の原因をおこす内臓脂肪型肥満であるメタポリックシンドロームを腹部内部に蓄積させず防止するためのものであり、下着が下方に下がらないようにする下着サポータ―にメジャー入り織ゴムを取り付け、下着サポータを着用時に、常にメジャーで腹部を計測し、内臓脂肪型肥満であるメタポリックシンドロームを予防のため腹部の寸法が男性では８５ｃｍ以下女性では９０ｃｍ以下に維持するようメジャーで計測し自己管理で内臓脂肪型肥満であるメタポリックシンドロームをチエックできるメジャー付き下着サポータを提供する。
【課題を解決するための手段】
【０００４】  本考案は、肥満の方が下着を身に着けるときに腹部が大きく妊婦のように前方に飛び出ており、下着が下方に落ちるために下着サポータを着用して落ちないようにしている。この下着サポータにメジャー入り織ゴムを設け、織ゴムは中空状の円形にし中空部内にメジャーを通し一方を固定し他方を自由に設ける、下着サポートを装着時に常に自分で腹部を計測し、内臓脂肪型肥満であるメタポリックシンドロームの目安以下に容易に自己管理できる事を特徴とするメジャー付き下着サポータ。
【考案の効果】
【０００５】  本考案により、メジャー付き下着サポータを装着することにより、内臓脂肪型肥満であるメタポリックシンドロームが成人病の原因である肥満を自己管理して、常にメジャーで計測する習慣をつけ、目安である男性なら８５ｃｍ以下、女性なら９０ｃｍ以下になるように努力し自己で予防できる効果が期待できる。
【考案を実施するための形態】
【０００６】  本考案は、肥満の方（１）が下着（２）を身に着けるときに腹部（３）が大きく妊婦のように前方に飛び出ており、下着（２）が下方に落ちるために下着サポータ（４）を着用して落ちないようにしている。この下着サポータ（４）にメジャー入り織ゴム（５）を後部で結合し一体にする、メジャー入り織ゴム（５）は織ゴムを中空状の円形にし、その中空部にメジャーを通し、一方を固定し、他方をフリーにする、下着サポート（４）を装着時に自分で腹部のへそ高さの腹部周囲（６）をメジャー（７）で計測し、内臓脂肪型肥満であるメタポリックシンドロームの目安以下に容易に自己管理できるメジャー付き下着サポータ。
【図面の簡単な説明】
【０００７】
【図１】  本考案の身体にメジャー付き下着サポータを装着した右側面図
【図２】  本考案のメジャー付き下着サポータの平面図
【図３】  本考案の左側面図
【図４】  本考案の左側面図のメジャー部拡大図
【符号の説明】
【０００８】  １  肥満の方
２  下着
３  腹部
４  下着サポータ
５  メジャー入り織ゴム
６  へそ高さの腹部周囲
７  メジャー